(57)【特許請求の範囲】
【請求項１】
釣竿取付脚が形成されたリール本体に回転自在に支持されたロータと、
リール本体に取り付くハンドルの操作で前記ロータを駆動する駆動機構と、
キャスティング時及び釣糸の巻取り操作時に、前記駆動機構の逆転を防止してロータの逆回転を防止する一方向クラッチからなる逆転防止機構とを備え、
リール本体に、前記一方向クラッチを収納する収納部をロータの円筒部内に突設した魚釣用スピニングリールに於て、
前記ロータの円筒部の内周面を、リール本体の後方に拡大するテーパ面とすると共に、
前記釣竿取付脚と反対側に位置する収納部の周壁に、水抜き用の貫通孔を前記円筒部の内周面に対向して設けたことを特徴とする魚釣用スピニングリール。
【発明の詳細な説明】
【技術分野】
【０００１】
本発明は、ロータの逆転防止機構を備えた魚釣用スピニングリールに関する。
【背景技術】
【０００２】
従来周知のように魚釣用スピニングリール（以下、「スピニングリール」という）は、ロータに設けた一対の支持アームの先端に、半環状のベールがベール支持部材を介して釣糸巻取り位置と釣糸放出位置へ反転自在に取り付けられている。
そして、ベールを釣糸放出位置へ倒して仕掛けをキャスティングすると、スプールに巻回された釣糸がスパイラル状に繰り出され、また、ベールを釣糸巻取り位置へ反転させてハンドルを巻取り操作すると、ロータが釣糸巻取り方向へ回転（正回転）し、このロータの回転に連動してリール本体の前後方向へ往復動するスプールに釣糸が巻き取られるようになっている。
【０００３】
ところで、従来、スピニングリールには、キャスティング時や釣糸の巻取り操作時に、ロータを回転駆動する駆動機構の逆転を防止してロータの釣糸繰出し方向への回転（逆回転）を阻止する逆転防止機構が装着されており、この逆転防止機構として、転がり式一方向クラッチ（以下、「一方向クラッチ」という）を用いてロータの正逆両方向への回転可能とロータの逆回転防止の切換えを行うものが広く知られている。そして、一方向クラッチは、リール本体の前部に設けられた有底筒状の収納部に収納され、当該収納部はロータの円筒部内に突設されている。
【０００４】
そして、特許文献１には、前記収納部の前部にシール部材を装着して一方向クラッチに対する防水を図ると共に、毛細管現象等によりシール部材の僅かな隙間から収納部内に浸入して溜まった水の水抜きを図る貫通孔を収納部の底部に設けたスピニングリールが開示されており、スピニングリールの使用時に貫通孔は蓋部材で閉塞された構造となっている。
【特許文献１】特開２００３−２５９７７０号公報
【発明の開示】
【発明が解決しようとする課題】
【０００５】
しかし、上述したように貫通孔は、スピニングリールの使用時に蓋部材で閉塞された構造であるため、水抜きをする場合、工具等を用いて蓋部材を取り外さなければならず、また、実釣時は貫通孔が蓋部材で閉塞されているため、収納部内に溜まった水を実釣中に排水することができない欠点があった。
更にまた、貫通孔から積極的に水抜きを行うために、スピニングリールを振ったり揺すったりする等、実釣動作と関係ない動作をしなければならない煩わしさもあった。
【０００６】
本発明は斯かる実情に鑑み案出されたもので、簡単な操作で水抜きが可能なスピニングリールを提供することを目的とする。
【課題を解決するための手段】
【０００７】
斯かる目的を達成するため、本発明は、釣竿取付脚が形成されたリール本体に回転自在に支持されたロータと、リール本体に取り付くハンドルの操作で前記ロータを駆動する駆動機構と、キャスティング時及び釣糸の巻取り操作時に、前記駆動機構の逆転を防止してロータの逆回転を防止する一方向クラッチからなる逆転防止機構とを備え、リール本体に、前記一方向クラッチを収納する収納部をロータの円筒部内に突設したスピニングリールに於て、前記ロータの円筒部の内周面を、リール本体の後方に拡大するテーパ面とすると共に、前記釣竿取付脚と反対側に位置する収納部の周壁に、水抜き用の貫通孔を前記円筒部の内周面に対向して設けたことを特徴とする。
【発明の効果】
【０００９】
本発明によれば、収納部の水抜き用の貫通孔を釣竿取付脚と反対側、即ち、スピニングリールの下方に開口して設けたので、収納部内に水が浸入しても、実釣時やハンドル操作時に効率良く水が貫通孔から自然滴下し、積極的に水抜きを行うためにスピニングリールを振ったり揺すったりする等、実釣動作と関係ない動作をする必要がない利点を有する。
そして、貫通孔から滴下した水はロータの円筒部の内周面に付着する。しかし、実釣時にロータはハンドルの操作で高回転するため、円筒部の内周面に付着した水は遠心力によって外周方向に力を受けるが、内周面は後方に拡大するテーパ面とされているため、斯かるテーパ面によって水滴は力の方向が変えられ、この結果、後方であるロータとリール本体との隙間から外部に積極的に水を排水することが可能である。
【発明を実施するための最良の形態】
【００１１】
以下、本発明の実施形態を図面に基づいて詳細に説明する。
図１乃至図３は本発明に係るスピニングリールの第一実施形態を示し、図１に於て、１は軸受２，３を介してリール本体５の前部に回転可能に支持された中空な回転軸筒（フライヤ軸）で、その先端にロータ７がナット９で固定されている。また、回転軸筒１の後端側外周に設けられたピニオン１１に、ハンドル１３のハンドル軸１５に回り止め嵌着した駆動歯車１７が噛合しており、ハンドル１３の回転操作（巻取り操作）が駆動歯車１７，ピニオン１１から回転軸筒１に伝達されて、ロータ７が釣糸巻取り方向へ回転するようになっている。
【００１２】
このように、ロータ７を駆動する駆動機構は、ハンドル軸１５とこれに取り付く駆動歯車１７，ピニオン１１，回転軸筒１等で構成されている。
そして、ロータ７の基部には、一対の支持アーム１９がリール本体５の前方へ一体に延設されており、両支持アーム１９の先端に、夫々、ベール支持部材２１が釣糸巻取り位置と釣糸放出位置とに反転自在に取り付けられている。そして、両ベール支持部材２１の間に半環状のベール２３が取り付き、一方のベール支持部材２１にラインローラ２５が回転可能に装着されている。
【００１３】
また、図中、２７は回転軸筒１内を挿通して摺動可能に支持されたスプール軸で、スプール軸２７のロータ側突出端にスプール２９が取り付き、スプール軸２７の後端側にトラバース機構（スプール往復動装置）３１が装着されている。
従来周知のようにトラバース機構３１は、リール本体５内にスプール軸２７と平行に回転可能に支持された螺軸（トラバースカム軸）３３と、当該螺軸３３の外周に設けられたカム溝３５に係合する係合爪を有する摺動子３７と、螺軸３３の前端部に回り止め嵌着されて前記ピニオン１１に噛合する従動歯車３９とで構成されており、摺動子３７はスプール軸２７の後端部にビス４１で固定されている。
【００１４】
そして、ベール２３を釣糸放出位置へ倒して仕掛けをキャスティングすると、スプール２９に巻回された釣糸がスパイラル状に繰り出され、また、ベール２３を釣糸巻取位置側へ倒してハンドル１３を巻取り操作すると、ピニオン１１，従動歯車３９を介して螺軸３３が回転し、これに伴いカム溝３５に係合爪を介して係合する摺動子３７が螺軸３３上を往復動するため、摺動子３７に連結されたスプール軸２７を介してスプール２９がリール本体５の前後方向へ往復動して、スプール２９に釣糸が巻回されるようになっている。
【００１５】
また、リール本体５には、上方に向かって釣竿取付脚４３が設けられている。
そして、上述の如き構成に加え、本実施形態に係るスピニングリール４４も、キャスティング時や釣糸の巻取り操作時に、ロータ７を回転駆動する駆動機構の逆転を防止してロータ７の釣糸繰出し方向への回転（逆回転）を阻止する一方向クラッチ４５を用いた逆転防止機構４７が装着されている。
【００１６】
図２及び図３は逆転防止機構４７の詳細を示し、図中、４９はスプール軸２７を中心としてリール本体５の前部に突設された有底筒状の収納部で、当該収納部４９はロータ７中央の円筒部７ａ内に突出し、内部に一方向クラッチ４５が収納されている。尚、本実施形態では斯かる収納部４９をリール本体５に一体形成したが、リール本体と別体に形成されていてもよい。
一方向クラッチ４５は、収納部４９の内周に固着された外輪５１と、断面非円形の回転軸筒１の外周に回り止め嵌合された内輪５３と、周方向へ複数個のコロ５５を等間隔に保持する保持器５７と、当該保持器５７の外方に設けられた凸状の係合部５９に係合するストッパＯＮ／ＯＦＦ切換えプレート（以下、「切換えプレート」という）６１とを備え、保持器５７は内，外輪５３，５１間に回転可能に配置されている。そして、図２に示すように一方向クラッチ４５は、収納部４９に固着した２枚の薄肉な円盤状の押さえプレート６３，６５によって抜け止めが図られると共に、前記軸受２を介して内輪５３が収納部４９に支持されている。
【００１７】
而して、図３に示すように内輪５３の外周は円形周面とされているのに対し、外輪５１の内周には、非楔領域としての深溝から楔領域としての浅溝が周方向に形成された凹部６７が各コロ５５に対応して設けられており、楔領域と内輪５３との間にコロ５５が食い込んで内輪５３と回転軸筒１の逆転防止が図られ、非楔領域にコロ５５が移動すると、外輪５１に対して内輪５３と回転軸筒１が正逆両方向に回転可能となる。
【００１８】
そして、前記切換えプレート６１には、カム孔６９が形成された突片７１が設けられ、当該カム孔６９に、リール本体５の後部側に挿着したストッパＯＮ／ＯＦＦ切換えレバー（以下、「切換えレバー」という）７３の操作杆７５が係合している。そして、既述したように一方向クラッチ４５を収納する収納部４９は筒状に形成されているが、図３に示すように収納部４９の周壁には、前記突片７１と操作杆７５を収納配置する凸状収納部４９ａが釣竿取付脚４３方向へ突設されている。
【００１９】
また、前記突片７１と収納部４９の内壁との間に図示しないスプリングが張架されており、そのバネ力で、図３の二点鎖線で示すように切換えプレート６１，保持器５７を介してコロ５５が外輪５１（凹部６７）の楔領域方向へ付勢されている。そして、前記切換えレバー７３の操作で、スプリングのバネ力に抗して切換えプレート６１を図３の実線で示す位置まで回転させると、これに連動して保持器５７が回転するため、保持器５７内に収容されたコロ５５が外輪５１（凹部６７）の楔領域から非楔領域へ移動して、一方向クラッチ４５が逆転可能状態（ストッパＯＦＦ状態；ロータ７の正逆両方向への回転可能状態）に切り換わり、また、切換えレバー７３の操作で斯かる状態を解除すると、スプリングのバネ力で切換えプレート６１が図３の二点鎖線で示す位置まで回転するため、保持器５７を介してバネ付勢されたコロ５５が外輪５１の楔領域と内輪５３との間に食い込んで、一方向クラッチ４５が逆転防止状態（ストッパＯＮ状態；ロータ７の逆回転防止状態）に切り換わるようになっている。
【００２０】
図２及び図３に示すように、前記ロータ７の円筒部７ａの内周面７ｂはリール本体５の後方に拡大するテーパ面とされている。そして、前記釣竿取付脚４３と反対側に位置する収納部４９の周壁に、水抜き用の一つの貫通孔７７が円筒部７ａの内周面７ｂに対向して設けられており、貫通孔７７はスピニングリール４４の下方に開口している。
尚、貫通孔７７は水抜きとして機能するものであれば円孔でも長孔でもよく、形状や大きさは特に限定されない。また、リール全体の軽量化や水抜き機能を重視して貫通孔７７を複数設けることも可能である。
【００２１】
本実施形態はこのように構成されているから、ベール２３を釣糸放出位置へ倒して仕掛けをキャスティングすると、スプール２９に巻回された釣糸がスパイラル状に繰り出され、また、ベール２３を釣糸巻取位置側へ倒してハンドル１３を巻取り操作すると、ロータ７が釣糸巻取り方向へ回転（正回転）し、このロータ７の回転に連動してトラバース機構３１によりスプール２９がリール本体の前後方向へ往復動してスプール２９に釣糸が巻回されるが、切換えレバー７３を操作して切換えプレート６１を図３の二点鎖線で示す位置にしておけば、コロ５５が外輪５１の楔領域と内輪５３との間に食い込んで一方向クラッチ４５（逆転防止機構４７）が逆転防止状態（ストッパＯＮ状態）となるため、ロータ７の釣糸繰出し方向への回転（逆回転）が阻止される。
【００２２】
一方、切換えレバー７３の操作で切換えプレート６１を図３の実線で示す位置まで回転させると、コロ５５が外輪５１の楔領域から非楔領域へ移動して、一方向クラッチ４５（逆転防止機構４７）が逆転可能状態（ストッパＯＦＦ状態）に切り換わるため、ロータ７が正逆両方向へ回転可能となる。
そして、実釣時に、毛細管現象等によって押さえプレート６３や軸受２，３等の僅かな隙間から収納部４９内に水が浸入するが、収納部４９の周壁に水抜き用の貫通孔７７が釣竿取付脚４３と反対側、即ち、スピニングリール４４の下方に開口して設けられているため、収納部４９内に浸入した水は、自然に貫通孔７７から外部に滴下する。
【００２３】
而して、斯様に貫通孔７７から外部に滴下した水はロータ７の円筒部７ａの内周面７ｂに付着するが、実釣時にロータ７はハンドル１３の操作で高回転するため、円筒部７ａの内周面７ｂに付着した水滴は遠心力によって外周方向に力を受けるが、内周面７ｂは後方に拡大するテーパ面とされているため、斯かるテーパ面によって水滴は力の方向が変えられ、後方であるロータ７とリール本体５との隙間７９から外部に積極的に排出されることとなる。
このように、本実施形態は、ロータ７の円筒部７ａの内周面７ｂをリール本体５の後方に拡大するテーパ面とすると共に、釣竿取付脚４３と反対側に位置する収納部４９の周壁に、水抜き用の貫通孔７７を前記円筒部７ａの内周面７ｂに対向して設けたので、収納部４９内に水が浸入しても、特許文献１の従来例と異なり、実釣時やハンドル操作時に効率良く水が貫通孔７７から自然滴下し、積極的に水抜きを行うためにスピニングリール４４を振ったり揺すったりする等、実釣動作と関係ない動作をする必要がない。
【００２４】
そして、貫通孔７７から外部に滴下した水はロータ７の円筒部７ａの内周面７ｂに付着するが、ハンドル１３の回転操作でロータ７を回転させることにより、ロータ７に働く遠心力と、後方に拡大するテーパ面とされた円筒部７ａの内周面７ｂとの相乗作用によって、内周面７ｂに付着した水滴をロータ７とリール本体５との隙間７９から積極的に排出することが可能である。
図４乃至図６は本発明に係るスピニングリールの第二実施形態を示し、本実施形態は、図１のスピニングリール４４の構成に加え、水抜き機能と防水／異物の侵入防止機能を適宜選択可能としたものである。そして、前記実施形態と同様、リール本体５に設けた一方向クラッチ４５-1を収納する有底筒状の収納部４９-1には、リール本体５の後方に拡大するテーパ面とされたロータ７の円筒部７ａの内周面７ｂに対向して水抜き用の一つの貫通孔７７-1が釣竿取付脚４３と反対側に、即ち、スピニングリール８０の下方に開口している。
【００２５】
そして、前記収納部４９-1に、逆転防止機構４７-1の一方向クラッチ４５-1が収納されているが、図５及び図６に示すように貫通孔７７-1に対応して一方向クラッチ４５-1の外輪５１-1には、貫通孔７７-1より周方向に大きな幅を以ってスライド孔８１が形成されると共に、切換えレバー７３の操作に連動してスライド孔８１をスライド可能な開閉突起８３が切換えプレート６１-1の外周に突設されており、切換えレバー７３の操作で切換えプレート６１-1が図５の位置にあって一方向クラッチ４５-1（逆転防止機構４７-1）が逆転可能状態（ストッパＯＦＦ状態）にあるとき、開閉突起８３は貫通孔７７-1からずれて貫通孔７７-1は開口するようになっている。そして、切換えレバー７３の操作で、切換えプレート６１-1が図６の位置に操作されて一方向クラッチ４５-1（逆転防止機構４７-1）が逆転防止状態（ストッパＯＮ状態）に切り換わると、開閉突起８３により貫通孔７７-1が閉鎖されて、貫通孔７７-1からの水や異物の侵入が防止されると共に、水抜き機能が停止するようになっている。
【００２６】
尚、その他の構成は図１乃至図３の実施形態と同様であるので、同一のものには同一符号を付してそれらの説明は省略する。また、本実施形態は、一方向クラッチ４５-1の逆転可能状態で排水可能、逆転防止状態で排水不能としたが、逆転可能状態で排水不能、そして、逆転防止状態で排水可能としてもよい。
このように、本実施形態は、切換えレバー７３による一方向クラッチ４５-1（逆転防止機構４７-1）の切り換え操作に連動して貫通孔７７-1を開閉自在に構成したので、前記実施形態と同様の作用効果に加え、釣人の好みに応じて水抜き機能と防水／異物の侵入防止機能を適宜選択することができる利点を有する。
【００２７】
図７は本発明の第三実施形態を示し、本実施形態に係るスピニングリール８５は、図１乃至図３の収納部４９を上下方向を逆に設けて、当該収納部４９内に逆転防止機構４７-2の一方向クラッチ４５を装着すると共に、リール本体５の底部側に切換えレバー７３-1を設けて、リール本体５の後方に拡大するテーパ面とされたロータ７の円筒部７ａの内周面７ｂに対向する凸状収納部４９ａに水抜き用の貫通孔７７-2を、釣竿取付脚４３と反対側に設けたものである。そして、凸状収納部４９ａ内に収納配置された切換えレバー７３-1の操作杆７５-1が、既述した突片７１のカム孔６９に係合している。
【００２８】
尚、その他の構成は図１の実施形態と同様であるので、同一のものには同一符号を付してそれらの説明は省略する。
本実施形態はこのように構成されており、本実施形態によっても、図１の実施形態と同様、所期の目的を達成することが可能で、収納部４９内に水が浸入しても実釣時やハンドル操作時に効率良く水が貫通孔７７-2から自然滴下し、積極的に水抜きを行うためにスピニングリール８５を振ったり揺すったりする等、実釣動作と関係ない動作をする必要がない。
【００２９】
そして、貫通孔７７-2から外部に滴下した水はロータ７の円筒部７ａの内周面７ｂに付着するが、ハンドル１３の回転操作でロータ７を回転させることにより、ロータ７に働く遠心力と、後方に拡大するテーパ面とされた円筒部７ａの内周面７ｂとの相乗作用によって、内周面７ｂに付着した水滴をロータ７とリール本体５との隙間７９から積極的に排出することが可能である。
【図面の簡単な説明】
【００３０】
【図１】本発明の第一実施形態に係るスピニングリールの要部切欠き正面図である。
【図２】図１に示すスピニングリールの要部拡大断面図である。
【図３】図２のIII−III線断面図である。
【図４】本発明の第二実施形態に係るスピニングリールの要部拡大断面図である。
【図５】図４のV−V線断面図である。
【図６】図４に示すスピニングリールの要部拡大断面図である。
【図７】本発明の第三実施形態に係るスピニングリールの要部切欠き正面図である。
【符号の説明】
【００３１】
１  回転軸筒
５  リール本体
７  ロータ
７ａ  円筒部
７ｂ  内周面
１１  ピニオン
１３  ハンドル
１７  駆動歯車
２７  スプール軸
２９  スプール
３１  トラバース機構
４３  釣竿取付脚
４４，８０，８５  スピニングリール
４５，４５-1  一方向クラッチ
４７，４７-1，４７-2  逆転防止機構
４９，４９-1  収納部
４９ａ 凸状収納部
５１，５１-1  外輪
５３  内輪
５５  コロ
５７  保持器
６１，６１-1  切換えプレート
６７  凹部
７１  突片
７３，７３-1  切換えレバー
７５，７５-1  操作杆
７７，７７-1，７７-2  貫通孔
７９  隙間
【図１】
0004732953.tif 000002
【図２】
0004732953.tif 000003
【図３】
0004732953.tif 000004
【図４】
0004732953.tif 000005
【図５】
0004732953.tif 000006
【図６】
0004732953.tif 000007
【図７】
0004732953.tif 000008